(57)【特許請求の範囲】
【請求項１】
前面に開口部を有する筐体と、前記筐体内に収容され、光ディスクを出し入れする光ディスクのディスクドライブと、前記筐体の前面開口部に開閉自在に設けられた蓋体と、前記筐体内に外気を吸引する冷却ファンとを具備し、前記冷却ファンは前記蓋体の開閉動作及び前記ディスクドライブの動作に連動し、前記蓋体が前記開口部を閉鎖した状態で且つ前記ディスクドライブが動作しているときにのみ動作することを特徴とするディスクドライブの空冷装置。
【発明の詳細な説明】
【０００１】
【発明の属する技術分野】
この発明は筐体内に収容されたディスクドライブを空気により冷却するようになしたディスクドライブの空冷装置に関する。
【０００２】
【従来の技術】
光ディスクのようなディスクドライブを長時間使用していると、内部が発熱して種々の不具合が発生することから、従来では蓋体の一部に冷却ファンを取付けて、この冷却ファンにより外気を筐体内へ流通させて発熱源を空冷することにより、筐体内部が高温になるのを防止している。
【０００３】
またこの種のディスクドライブの空冷装置としては、例えば図３に示すものが公知である。
【０００４】
すなわち、光ディスクのディスクドライブのような電子機器本体ａが収容された筐体ｂの例えば後面に冷却ファンｃが設けられており、筐体ｂの前面には、光ディスクを出し入れするための開口部ｄと、この開口部ｂを開閉する蓋体ｅが設けられている。
【０００５】
上記構成の電子機器では、電源をオンすると、冷却ファンｃが動作を開始して、筐体ｂ内の熱せられた空気を排出するため、筐体ｂ内には開口部ｄより外気が吸入されて、筐体ｂ内の電子機器本体ａを効率よく冷却できるようになっている。
【０００６】
【発明が解決しようとする課題】
しかし上記従来の電子機器の空冷装置では、外気が筐体ｂ内へ吸入される際、空気中の塵埃等も空気と共に開口部ｄより電子機器本体ａ内に吸入されるため、電子機器を長期間使用していると、外気とともに電子機器本体ａ内に吸入された塵埃等が電子機器本体ａの可動部などに付着して、電子機器本体ａの動作が不安定となるなどの不具合がある。
【０００７】
特に光ディスクのような精密な電子機器本体にあっては、光ピックアップなどに塵埃等が付着すると、データの読取りや書き込み性能が著しく低下したり、全くできなくなるなどの不具合が発生する。
【０００８】
また筐体ｂの前面に開閉自在に設けられた蓋体ｅを閉鎖すれば、電子機器本体ａに侵入する塵埃等の量を少なくすることはできるが、蓋体ｂ内にメーカの異なる複数の電子機器本体ａを装着した場合、蓋体ｅを閉鎖しても開口部ｄに隙間が生じることがあるため、電子機器本体ａに塵埃等が侵入するのを確実に防止することはできない。
【０００９】
この発明はかかる従来の不具合を改善するためになされたもので、電子機器本体内へ塵埃等が侵入するのを確実に防止できるディスクドライブの空冷装置を提供することを目的とするものである。
【００１０】
【課題を解決するための手段】
この発明は上記目的を達成するため、前面に開口部を有する筐体と、筐体内に収容され、光ディスクを出し入れする光ディスクのディスクドライブと、筐体の前面開口部に開閉自在に設けられた蓋体と、筐体内に外気を吸引する冷却ファンとを具備し、冷却ファンが蓋体の開閉動作及び前記ディスクドライブの動作に連動し、蓋体が開口部を閉鎖した状態で且つディスクドライブが動作しているときにのみ動作するようにしたもので、筐体の開口部より塵埃等が筐体内へ侵入することがないので、光ディスクドライブの動作が不安定となったり、動作不良が発生するのを未然に防止できるようになる。
【００１１】
【発明の実施の形態】
この発明の請求項１に記載の発明は、前面に開口部を有する筐体と、筐体内に収容され、光ディスクを出し入れする光ディスクのディスクドライブと、筐体の前面開口部に開閉自在に設けられた蓋体と、筐体内に外気を吸引する冷却ファンとを具備し、冷却ファンは前記蓋体の開閉動作及び前記ディスクドライブの動作に連動し、蓋体が前記開口部を閉鎖した状態で且つディスクドライブが動作しているときにのみ動作するように構成したものである。
【００１２】
前記構成により、蓋体が開口部を閉鎖した状態で且つディスクドライブが動作しているときにのみ冷却ファンが動作するため、筐体内へ外気が吸入される際、空気中の塵埃等が筐体内に侵入することがない。
【００１３】
これによって電子機器本体の可動部などに塵埃等が付着して可動部などの動作が不安定となったり、動作不良を起こすのを未然に防止することができる。
【００２０】
以下この発明の実施の形態を図１及び図２に示す図面を参照して詳述する。
【００２１】
図１は電子機器の断面図、図２は空冷時の作用を示す説明図である。
【００２２】
これら図において１は角箱状の筐体で、内部に光ディスクのディスクドライブなどの電子機器本体２が開口部２ａを筐体１の前面に向けて収容されている。
【００２３】
上記電子機器本体２は、筐体１内に設けられた取付け金具３にビスなどの固着具４により固定されており、ディスクなどの記憶媒体（図示せず）を出し入れする開口部２ａは、筐体１の前面開口部１ａとほぼ同一面か、やや内側となるように筐体１内に設置されている。
【００２４】
また上記筐体１の前面には、下部がヒンジ５により筐体１の前面に蝶着された蓋体６が開閉自在に取付けられている。
【００２５】
上記蓋体６は、筐体１の前面開口部１ａを覆える大きさに形成されていて、ヒンジ５を中心に手前側へ開閉できるようになっており、蓋体６の内側には、蓋体１の前面開口部１ａと電子機器本体２の前部との間に介在されたエスカッション７の密閉部７ａに当接する密閉体６ａが突設されている。
【００２６】
上記エスカッション７は、筐体１内に収容された電子機器本体２と筐体１の前面開口部１ａ間の隙間をなくすもので、外周面には、筐体１内に外気を導入するための空気流入孔７ｂが複数個所形成されていると共に、電子機器本体２の開口部２ａを囲むように密閉部７ａが設けられている。
【００２７】
上記密閉部７ａは、電子機器本体２の開口部２ａよりやや大きい角筒状に形成されていて、筐体１の前面より前方に突出されており、蓋体６を閉じると、蓋体６の内面に設けられた密閉体６ａが密閉部７ａの前端面に隙間なく当接して、電子機器本体２の開口部２ａを密閉できるようになっており、蓋体６の密閉体６ａ周辺には、筐体１内に外気を取り込むための空気取入れ口６ｂが複数個開口されている。
【００２８】
一方上記筐体１の後面には、筐体１内の空気を筐体１外へ排出する冷却ファン８が取付けられている。
【００２９】
上記冷却ファン８は、蓋体６の開閉動作と、電子機器本体２の動作に電気的に連動されていて、蓋体６が閉鎖された状態で、電子機器本体２が動作されているときに動作するようになっている。
【００３０】
次に上記構成された電子機器の作用を説明すると、電子機器本体２内に記憶媒体を出し入れするときには、蓋体６は図１に示すように開放されており、このとき冷却ファン８は動作を停止しているため、電子機器本体２の開口部２ａが開放されていても、電子機器本体２内に空気とともに塵埃等が侵入することはない。
【００３１】
次に電子機器本体２内に記憶媒体を挿入して蓋体６を図２に示すように閉鎖すると、蓋体６の内側に設けられた密閉体６ａがエスカッション７の密閉部７ａに当接して、電子機器本体２の開口部２ａを密閉すると同時に、冷却ファン８が動作を開始する。
【００３２】
これによって冷却ファン８により筐体１内の熱せられた空気が筐体１外へ排出されると共に、蓋体６に開口された空気取入れ口６ｂより、エスカッション７の空気流入孔７ｂを経て筐体１内に図２の矢印で示すように外気が吸入されるため、電子機器本体２の周囲を効率よく冷却することができるようになる。
【００３３】
また空気と共に塵埃等が筐体１内に侵入しても、電子機器本体２内に侵入することがないので、長期間使用していても、電子機器本体２の可動部や光ピックアップ部などに塵埃等が付着することがない。
【００３５】
【発明の効果】
この発明は以上詳述したように、筐体内に収容された電子機器本体の開口部が、開口部を囲むように設けられたエスカッションの密閉部と、これに当接された蓋体の密閉体により密閉されるため、冷却ファンにより筐体内へ外気が吸引されても、空気中の塵埃等が電子機器本体内へ侵入することがない。
【００３６】
これによって、電子機器本体の可動部などに塵埃等が付着して電子機器本体の動作が不安定になったり、動作不良を起こすことがないと共に、筐体内に吸引された外気により電子機器本体が冷却されるため、電子機器本体が早期に故障したり、寿命が早期に低下するのを未然に防止することができる。
【００３７】
またエスカッションの密閉部周辺に空気流入口を、そして蓋体の密閉体周辺に空気取入れ口をそれぞれ開口して、これら空気流入口及び空気取入れ口より筐体内へ外気を吸入するようにしたことから、蓋体が閉鎖されていても、筐体内に十分な空気が取入れられるため、電子機器を効率よく冷却することができ、これによって筐体内の温度が上昇して、電子機器本体の動作が不安定となったり、電子機器本体の寿命が早期に低下するなどの不具合を解消することができる。
【００３８】
さらに、蓋体を開放すると冷却ファンが停止し、蓋体を閉鎖すると冷却ファンが動作するようにしたことから、筐体内に流入する空気とともに塵埃等が電子機器本体内へ侵入するのを確実に防止することができると共に、電子機器本体の停止とともに冷却ファンも停止させるようにしたことから、電子機器本体の動作中に発生した熱を効率よく冷却できる上、余計な塵埃等を筐体内に吸込むことがないので、筐体内に塵埃等が堆積するのを防止することができる。
【図面の簡単な説明】
【図１】この発明の実施の形態になる空冷装置を採用した電子機器の断面図
【図２】この発明の実施の形態になる電子機器の空冷装置の作用説明図
【図３】従来の電子機器の空冷装置を示す説明図
【符号の説明】
１    筐体
１ａ  前面開口部
３    電子機器本体
２ａ  開口部
３    取付け金具
４    固定具
５    ヒンジ
６    蓋体
６ａ  密閉体
６ｂ  空気取入れ口
７    エスカッション
７ａ  密閉部
７ｂ  空気流入孔
８    冷却ファン
【図１】
0004204687.tif 000002
【図２】
0004204687.tif 000003
【図３】
0004204687.tif 000004